(57)【要約】【課題】商品棚を前方へ引き出したとき、商品棚が下がり傾斜姿勢からほぼ水平姿勢に切り換わり、商品棚への商品の補充が行いやすいオープンショーケースを得る。【解決手段】ケース本体１の陳列室２の左右に固定される主ブラケット５・５と、各主ブラケット５に対して実質的に水平姿勢で前後方向へ摺動自在に案内支持される可動レール１１と、各主ブラケット５に備えた補助ブラケット１３と、後方の収納状態から前方へ引き出し可能な商品棚３とからなる。各補助ブラケット１３の前端側が、各主ブラケット５に枢軸２０を介して揺動自在に連結されている。各補助ブラケット１３の後端側を各主ブラケット５上に持ち上げた姿勢に保持する手段を有する。商品棚３の前端左右は、丁番２２を介して各可動レール１１の前端に回動自在に連結されている。補助ブラケット１３・１３の上面には、商品棚３の棚板２１の後端側の左右が、スライドピース２５を介して前後方向へ摺動自在に受け止め支持されている。【選択図】        図１
2004350811.tif 000002
【特許請求の範囲】
【請求項１】
ケース本体１の陳列室２の左右に固定される主ブラケット５・５と、各主ブラケット５に対して実質的に水平姿勢で前後方向へ摺動自在に案内支持される可動レール１１と、各主ブラケット５に備えた補助ブラケット１３と、後方の収納状態から前方へ引き出し可能な商品棚３とを含み、
各補助ブラケット１３の前端側が、各主ブラケット５に枢軸２０を介して揺動自在に連結されており、
各補助ブラケット１３の後端側を各主ブラケット５上に持ち上げた姿勢に保持する手段を有し、
商品棚３の前端左右が、丁番２２などを介して各可動レール１１の前端に回動自在に連結されており、
補助ブラケット１３・１３の上面１５・１５に、商品棚３の後端側の左右が前後方向へ摺動自在に受け止め支持されているオープンショーケース。
【請求項２】
各補助ブラケット１３の上面１５に、商品棚３がこれに取り付けたスライドピース２５を介して受け止め支持されている請求項１記載のオープンショーケース。
【請求項３】
商品棚３の前端左右と、左右の各主ブラケット５との間に、補助ブラケット１３の後方に商品棚３を収納した状態において商品棚３の前方への引き出しを規制するストッパー手段が設けられている請求項１または２記載のオープンショーケース。
【請求項４】
陳列室２の後方の棚柱７に設けたスリット９に、主ブラケット５の後端に突設した係止片６が掛け止められており、
商品棚３の後端側を持ち上げた状態において、商品棚３の後端に突設した係止片１７が、前記スリット９に掛け止められて保持されている請求項１記載のオープンショーケース。
【請求項５】
各補助ブラケット１３の前端側が、各主ブラケット５に対し、前後方向に長い長孔１９と、この長孔１９にスライド嵌合する枢軸２０とを介して支持されている請求項４記載のオープンショーケース。
【発明の詳細な説明】
【０００１】
【発明の属する技術分野】
本発明は、商品棚が前方に引き出し可能であって、前下がり傾斜姿勢に収納されるようにしたオープンショーケースに関する。
【０００２】
【従来の技術】
ケース本体の陳列室に固定のブラケットに、商品棚を支持したオープンショーケースにおいて、第１に、ブラケットに対して摺動レールを水平姿勢で前後方向へ摺動自在に案内支持し、この摺動レールに商品棚を取り付けることにより、商品棚を前方へ大きく引き出し可能にすること、第２に、摺動レールに商品棚をこれの後方側が持ち上がる前下がり傾斜姿勢に取り付けることは、特許文献１に公知である。これによれば、第１の構成により商品棚の後方に商品を補充しやすく、第２の構成により商品棚上の商品が前方手前側に移動するので、顧客も先入れ商品から順に該当商品を取り出しやすい。
【０００３】
【特許文献１】
特開２００２−２７２５６８号公報（段落番号００２２〜００２５、図２）
【０００４】
しかし、先の従来公知例では、商品棚が後方の収納位置にあるときも、前方の引き出し位置にあるときも、常に一定の前下がり傾斜姿勢で摺動レールに固定されている。従って、各商品棚ごとに必要に応じてこれを傾斜姿勢と水平姿勢とに容易に姿勢切り換えを行うことが困難である。商品棚を前下がり傾斜姿勢にすることは、商品陳列用にも有利であるが、陳列向きの傾斜角と商品補充向きの傾斜角とは必ずしも一致しない。つまり、商品棚の傾斜角が一定であると、これの後方側に商品を補充する作業が面倒なことが多い。
【０００５】
そこで本発明の目的は、各商品棚ごとに傾斜姿勢と水平姿勢との姿勢切り換えが行えるようにしたオープンショーケースを提供することにある。本発明の目的は、商品棚への商品の補充が容易であって、商品棚からの商品の取り出しも前方のものから順に手軽に行えるオープンショーケースを提供することにある。
【０００６】
【課題が解決するための手段】
本発明は、商品棚が後方の収納位置にあるときは、所定の前下がり傾斜姿勢に置くことができるが、この状態で商品の補充に際して商品棚を前方に引き出し操作すると、商品棚が傾斜姿勢からほぼ水平姿勢に切り換わるようにすることにある。
【０００７】
そのために本発明では、図２に示すごとくケース本体１の陳列室２の左右に固定される主ブラケット５・５と、各主ブラケット５に対して実質的に水平姿勢で前後方向へ摺動自在に案内支持される可動レール１１と、各主ブラケット５に備えた補助ブラケット１３と、後方の収納状態から前方へ引き出し可能な商品棚３とを含む。
【０００８】
各補助ブラケット１３の前端側は、図３および図４に示すごとく各主ブラケット５に枢軸２０を介して揺動自在に支持する。具体的には、各補助ブラケット１３の前端側は、各主ブラケット５に対し、前後方向に長い長孔１９と、この長孔１９にスライド嵌合する枢軸２０とを介して連結することができる。
【０００９】
各補助ブラケット１３の後端側を各主ブラケット５上に持ち上げた姿勢に保持する手段を有する。具体的には、図４に示すごとく陳列室２の後方の棚柱７に設けたスリット９に、主ブラケット５の後端に突設した係止片６を掛け止める。商品棚３は、これの後端側を持ち上げた状態において、商品棚３の後端に突設した係止片１７を、前記スリット９を利用してこれに掛け止め保持することができる。
【００１０】
商品棚３はこれの前端左右が丁番２２などを介して各可動レール１１の前端に回動自在に連結される。このことは、商品棚３の後端側が、丁番２２などを中心に上下動できることを意味する。ここでの丁番２２は代表例であって、これが回動軸であってもよい。
【００１１】
そのうえで、補助ブラケット１３・１３の上面１５・１５には、商品棚３の後端側の左右を前後方向へ摺動自在に受け止め支持する。具体的には、各補助ブラケット１３の上面に、商品棚３がこれに取り付けたスライドピース２５を介して受け止め支持されている。
【００１２】
商品棚３の前端左右と、左右の各主ブラケット５との間には、補助ブラケット１３の後方に商品棚３を収納した状態において商品棚３の前方への引き出しを規制するストッパー手段が設けられている。
【００１３】
【発明の作用効果】
本発明によれば、主ブラケット５上に補助ブラケット１３を介して支持した商品棚３が、これの上面に商品を陳列した状態のままであっても、ほぼ水平姿勢と前下がり傾斜姿勢とに切り換え可能である。そのうえで主ブラケット５の前方外側へ商品棚３を引き出すことができる。従って、陳列室２の下段側の商品棚３は、ほぼ水平姿勢にセットし、上段側の商品棚３は傾斜姿勢にセットすることができる。
【００１４】
とくに、前下がり傾斜姿勢とした商品棚３は、これの前端側が水平姿勢で前後摺動する可動レール１１に回動自在に連結されているので、可動レール１１と共に前方へ引き出し操作して行くと、商品棚３の後端側が補助ブラケット１３の傾斜上面１５を滑り降り、これに伴って商品棚３は傾斜姿勢から次第に水平姿勢へと近付いて行く。従って、商品棚３を前方に引き出した状態においては、該当の商品棚３の後方に新たな商品を補充する作業が容易に行える。該当の商品棚３を引き出した状態でも、下段側の商品棚３に対する商品の補充が容易に行える。
【００１５】
【発明の実施の形態】
本発明に係るオープンショーケースは、図２に示すごとく縦長のケース本体１に前面が開口する陳列室２を有する。陳列室２には商品棚３が上下多段に設けられる。陳列室２には、冷気が循環供給され、この冷気で商品棚３上の商品を冷蔵する。但し、上段側の商品棚３は、オン・オフ式のヒータを内蔵していて、ヒータ内蔵の商品棚３ではこれに載置した商品を温蔵しながら、下段側の商品棚３の商品は先の冷気で冷蔵する形式に切り換えることができる。
【００１６】
ケース本体１の陳列室２には、左右に一対の主ブラケット５・５が固定される。すなわち、各主ブラケット５の後端には図３に示すごとく３本の係止片６・６を上下に突設してあり、陳列室２の後方に配した棚柱７に多数のスリット９を設けてある。このスリット９を選んで係止片６・６を該スリット９に掛け止めることにより、各主ブラケット５が上下の任意位置に片持ち状に固定される。
【００１７】
左右一組の主ブラケット５の対向面には、固定レール１０を設け、この固定レール１０に可動レール１１が例えば前後のローラ１２ａ・１２ｂを介して後方の退入位置と前方の引き出し位置とにわたってほぼ水平姿勢で前後摺動自在に支持されている。図４および図５において、前側のローラ１２ａは定位置にあって固定レール１０側に支持されて可動レール１１を案内し、後ろ側のローラ１２ｂは可動レール１１側に支持されて固定レール１０に沿って転動する。これにより、各主ブラケット５に対して可動レール１１は、これにほぼ全長が陳列室２の前方へ大きく引き出し可能であって、可動レール１１の引き出し限界は固定レール１０との間で規制されている。
【００１８】
各主ブラケット５は前後方向に長い補助ブラケット１３を備えている。補助ブラケット１３は、これのブラケット主体１３ａが主ブラケット５の外側に位置し、ブラケット主体１３ａの上端に、平坦な上面１５を有する受け片１６を前後方向にわたって内向きに折り曲げ形成してあり、ブラケット主体１３ａの後端には２本の係止片１７・１７が上下に突出形成されている。
【００１９】
各補助ブラケット１３のブラケット主体１３ａの前端には、前後方向に長い長孔１９を設け、各主ブラケット５の前端から外向きに突設の枢軸２０が長孔１９に前後摺動自在に嵌合している。これにて、各補助ブラケット１３の前端側が、対応する各主ブラケット５に枢軸２０を介して揺動自在に支持されている。つまり、各主ブラケット５上において補助ブラケット１３は、これの後端側が下降して上面１５がほぼ水平状となる水平姿勢と、後端側が持ち上げられて上面１５が前下がりに傾斜する傾斜姿勢とにわたって上下動できる。
【００２０】
商品棚３は、図５および図６に示すごとくこれの前端左右が可動レール１１の前端に丁番２２およびステー２３を介して回動自在に連結されており、商品棚３の後端側が上下動自在である。すなわち、商品棚３の棚板２１には、底面の前端側左右にＬ字形のステー２３を丁番２２を介して取り付け、このステー２３の延出下端が可動レール１１に固定されている。
【００２１】
そのうえで、商品棚３の棚板２１の後端側の左右が、補助ブラケット１３の受け片１６の上面１５にスライドピース２５を介して前後摺動自在に受け止め支持されている。スライドピース２５は、自己潤滑性を有する合成樹脂材、例えばポリアセタールまたはナイロン樹脂からなり、棚板２１に取り付けられている。
【００２２】
商品棚３は、後方に収納した状態において、主ブラケット５および補助ブラケット１３を介して水平姿勢と前下がりの傾斜姿勢とに切り換え支持できる。図３は商品棚３を水平姿勢に支持した状態を示しており、主ブラケット５の後端に突設のピン２６に補助ブラケット１３の後端の受け２７が受け止められている。すなわち、主ブラケット５上に補助ブラケット１３の後端が受け止められており、この状態で受け片１６の上面１５が水平状になっている。
【００２３】
商品棚３の前端左右と、左右の各主ブラケット５との間には、補助ブラケット１３の後方に商品棚３を収納した状態において商品棚３が前方へ不用意に引き出されないようストッパー手段が設けられている。
【００２４】
このストッパー手段としては、図３に示すごとく、商品棚３の棚板２１の前端において下面の左右にストッパー２９を片持ち状に取り付け、各主ブラケット５の前端上縁に設けた係止部３０にストッパー２９をこれ自体の弾性で上方から係合付勢することにより、商品棚３が後方の収納位置にあるとき、商品棚３が不用意に前方へ飛び出すのを規制する。ストッパー２９を手で押し上げて係止部３０との係合を規制を解除すると、商品棚３は可動レール１１を介して陳列室２の前方へと引き出すことができる。
【００２５】
図４は商品棚３を前下がり傾斜姿勢に支持した状態を示す。この場合は、補助ブラケット１３の後端側を枢軸２０まわりに主ブラケット５の上方へ持ち上げる。このとき枢軸２０は長孔１９内を後方へ移動する。次に補助ブラケット１３の後端の係止片１７・１７を棚柱７のスリット９にそれぞれ掛け止めて保持する。
【００２６】
商品棚３が後方の収納位置にあるとき、商品棚３は例えば８°の傾斜角で保持されている。ストッパー２９による規制を解除して、商品棚３を前方に引き出し操作すると、商品棚３は後端側の左右がスライドピース２５を介して受け片１６の上面１５を前方に向かって下向きに滑り移動する。同時に、可動レール１１は水平姿勢で前方に引き出されている。従って、商品棚３は前方へ引き出して行くに従って傾斜姿勢から次第に水平姿勢に近付いて行くことになる。
【００２７】
図示例の全容は以上のようになっているが、主ブラケット５に対して補助ブラケット１３はこれの後端側を持ち上げた状態で両者５・１３間にステー部材を介在させることにより、補助ブラケット１３を前下がり傾斜姿勢に保持するようにしてもよい。ストッパー手段は任意に変更できる。図３において、商品棚３は完全な水平姿勢にあることに限定されない。
【００２８】
固定レール１０に可動レール１１を前後摺動自在に支持する手段として、図示例では説明の都合上、前後のローラ１２ａ・１２ｂによるとしたが、ボールベアリングなどで支持してもよい。
【図面の簡単な説明】
【図１】本発明を原理的に説明する側面図
【図２】全体の概略側面図
【図３】商品棚を水平姿勢にしたときの縦断側面図
【図４】商品棚を前下がり傾斜姿勢にしたときの縦断側面図
【図５】図３におけるＡ−Ａ線断面図
【図６】商品棚を前方に引き出したときの縦断側面図
【符号の説明】
１  ケース本体
２  陳列室
３  商品棚
５  主ブラケット
６  係止片
７  棚柱
９  スリット
１０  固定レール
１１  可動レール
１３  補助ブラケット
１７  係止片
１９  長孔
２０  枢軸
２２  丁番
２５  スライドピース
２９  ストッパー
【図１】
2004350811.tif 000003
【図２】
2004350811.tif 000004
【図３】
2004350811.tif 000005
【図４】
2004350811.tif 000006
【図５】
2004350811.tif 000007
【図６】
2004350811.tif 000008